(57)【要約】【課題】二画面構成のコンテンツの表示に係る利便性を向上させることが可能な情報表示装置、情報表示方法及びプログラムを提供する。【解決手段】画面表示を行う表示手段と、複数の画面への個別表示が可能なコンテンツ群で構成された複数画面用コンテンツを取得するコンテンツ取得手段と、前記複数画面用コンテンツを構成するコンテンツ群を夫々異なる位置に配置して合成し、一の合成コンテンツを生成する合成手段と、前記合成コンテンツを前記表示手段に表示させる表示制御手段と、を備える。【選択図】図５
2014072702.tif 000002
【特許請求の範囲】
【請求項１】
画面表示を行う表示手段と、
複数の画面への個別表示が可能なコンテンツ群で構成された複数画面用コンテンツを取得するコンテンツ取得手段と、
前記複数画面用コンテンツを構成するコンテンツ群を夫々異なる位置に配置して合成し、一の合成コンテンツを生成する合成手段と、
前記合成コンテンツを前記表示手段に表示させる表示制御手段と、
を備える情報表示装置。
【請求項２】
前記コンテンツ取得手段は、前記複数画面用コンテンツと、一の画面に表示するための一画面用コンテンツとを選択的に取得し、
前記表示制御手段は、前記一画面用コンテンツが取得された場合、当該一画面用コンテンツを前記表示手段に表示させる請求項１に記載の情報表示装置。
【請求項３】
自装置の姿勢を検出する検出手段と、
前記検出手段が検出した姿勢に応じて、前記コンテンツ取得手段が前記複数画面用コンテンツ又は前記一画面用コンテンツを取得するよう、当該コンテンツ取得手段の動作モードを切り替える切替手段と、
を更に備える請求項２に記載の情報表示装置。
【請求項４】
前記検出手段は、自装置を操作するユーザに対する、前記表示手段の配置位置の変更を自装置の姿勢として検出する請求項３に記載の情報表示装置。
【請求項５】
前記切替手段は、前記取得手段が取得する前記一画面用コンテンツ又は前記複数画面用コンテンツの縦横比と、前記表示手段の表示画面の縦横比とに基づいて、前記コンテンツ取得手段の動作モードを切り替える請求項４に記載の情報表示装置。
【請求項６】
前記コンテンツ群の表示に係る画面比率の変更操作を受け付ける受付手段を更に備え、
前記合成手段は、前記受付手段が受け付けた前記変更操作に応じた画面比率で前記コンテンツ群を合成する請求項１〜５の何れか一項に記載の情報表示装置。
【請求項７】
画面表示を行う表示手段を備えた情報表示装置で実行される情報表示方法であって、
複数の画面への個別表示が可能なコンテンツ群で構成された複数画面用コンテンツを取得するコンテンツ取得ステップと、
前記複数画面用コンテンツを構成するコンテンツ群を夫々異なる位置に配置して合成し、一の合成コンテンツを生成する合成ステップと、
前記合成コンテンツを前記表示手段に表示させる表示制御ステップと、
を含む情報表示方法。
【請求項８】
画面表示を行う表示手段を備えた情報表示装置のコンピュータを、
複数の画面への個別表示が可能なコンテンツ群で構成された複数画面用コンテンツを取得するコンテンツ取得手段と、
前記複数画面用コンテンツを構成するコンテンツ群を夫々異なる位置に配置して合成し、一の合成コンテンツを生成する合成手段と、
前記合成コンテンツを前記表示手段に表示させる表示制御手段と、
して機能させるためのプログラム。
【発明の詳細な説明】
【技術分野】
【０００１】
本発明の実施形態は、情報表示装置、情報表示方法及びプログラムに関する。
【背景技術】
【０００２】
従来、テレビジョン放送信号を受信する放送受信装置では、このテレビジョン放送信号に含まれた映像データとデータ放送用のデータとを、一の画面内に表示することが行われている。
【０００３】
また、近時では、放送と通信との融合という形で、放送に連動したコンテンツを、インターネット等のネットワークを経由して提供するサービスが検討されている。係るサービスでは、放送用のコンテンツをテレビジョン装置等の放送受信機に提供するとともに、ネットワーク配信用のコンテンツをタブレット端末やスマートフォン等の携帯情報端末に提供するといった、二画面構成のコンテンツを提供する試みも行われている。
【先行技術文献】
【特許文献】
【０００４】
【特許文献１】特開２００７−１４２７６２号公報
【発明の概要】
【発明が解決しようとする課題】
【０００５】
しかしながら、上記二画面構成のコンテンツを表示するには、放送受信機及び携帯情報端末の二つの装置（或いは二つの画面）が必要となる。そのため、放送受信機能とネットワーク通信機能とを兼ね備えた装置であっても、一つの画面しか有さない場合には、一方のコンテンツしか利用することができないという問題があった。
【０００６】
本発明は、上記に鑑みてなされたものであって、二画面構成のコンテンツの表示に係る利便性を向上させることが可能な情報表示装置、情報表示方法及びプログラムを提供する。
【課題を解決するための手段】
【０００７】
実施の形態の情報表示装置は、表示手段と、コンテンツ取得手段と、合成手段と、表示制御手段とを備える。表示手段は、画面表示を行う。コンテンツ取得手段は、複数の画面への個別表示が可能なコンテンツ群で構成された複数画面用コンテンツを取得する。合成手段は、前記複数画面用コンテンツを構成するコンテンツ群を夫々異なる位置に配置して合成し、一の合成コンテンツを生成する。表示制御手段は、前記合成コンテンツを前記表示手段に表示させる。
【図面の簡単な説明】
【０００８】
【図１】図１は、実施形態に係る情報表示システムの構成例を示す図である。
【図２−１】図２−１は、一画面用コンテンツの表示例を示す図である。
【図２−２】図２−２は、一画面用コンテンツの表示例を示す図である。
【図３−１】図３−１は、二画面用コンテンツの表示例を示す図である。
【図３−２】図３−２は、二画面用コンテンツの表示例を示す図である。
【図４】図４は、図１に示したタブレット端末のハードウェア構成例を示す図である。
【図５】図５は、図１に示したタブレット端末の機能構成例を示す図である。
【図６−１】図６−１は、タブレット端末の姿勢の変化を説明するための図である。
【図６−２】図６−２は、タブレット端末の姿勢の変化を説明するための図である。
【図７−１】図７−１は、図５の画面合成部が生成する合成コンテンツの例を説明するための図である。
【図７−２】図７−２は、図５の画面合成部が生成する合成コンテンツの例を説明するための図である。
【図７−３】図７−３は、図５の画面合成部が生成する合成コンテンツの例を説明するための図である。
【図８−１】図８−１は、タブレット端末に表示された一画面用コンテンツの一例を示す図である。
【図８−２】図８−２は、タブレット端末に表示された二画面用コンテンツ（合成コンテンツ）の一例を示す図である。
【図９】図９は、タブレット端末２０で実行されるコンテンツ表示処理の手順の一例を示すフローチャートである。
【発明を実施するための形態】
【０００９】
以下、添付図面を参照して、情報表示装置、情報表示方法及びプログラムの実施形態を詳細に説明する。なお、以下に説明する実施形態は、コンテンツ提供装置と、情報表示装置としてのタブレット端末とを有する情報表示システムへの適用例である。
【００１０】
図１は、本実施形態に係る情報表示システムの構成例を示す図である。同図に示すように情報表示システム１は、コンテンツ提供装置１０と、タブレット端末２０とを有する。
【００１１】
コンテンツ提供装置１０は、タブレット端末２０等の情報表示装置に対し、表示可能なコンテンツを提供する。具体的に、コンテンツ提供装置１０は、提供対象のコンテンツとして、一画面用コンテンツＣ１と、二画面用コンテンツＣ２とを提供する。
【００１２】
一画面用コンテンツＣ１は、一つの画面で表示されることを前提に作成されたコンテンツである。一画面用コンテンツＣ１は、例えば、デジタル放送で提供される映像データ（動画像データ）である。
【００１３】
ここで、図２−１、図２−２は、一画面用コンテンツＣ１の表示例を示す図である。図２−１に示すように、一画面用コンテンツＣ１を受信した装置（例えば、テレビジョン装置等の放送受信装置）では、一画面用コンテンツＣ１として提供された映像データが、当該装置が備える一の表示画面Ｄ１内に表示される。なお、図２−１では、将棋の対局を表す横長の映像データが提供された例を示している。また、一画面用コンテンツＣ１として、映像データとともに付加情報が提供された場合には、図２−２に示すように、映像データ上に付加情報が重畳された状態で表示画面Ｄ１内に表示される。
【００１４】
また、二画面用コンテンツＣ２は、二つの表示画面に個別に表示されることを前提に作成されたコンテンツ群であり、各画面用の第１コンテンツＣ２１と第２コンテンツＣ２２とを有する。ここで、第１コンテンツＣ２１は、例えば、デジタル放送で提供される映像データ（動画像データ）であり、第２コンテンツＣ２２は、第１コンテンツＣ２１の映像データに連動（関連）した画像や文字等のコンテンツである。
【００１５】
なお、第１コンテンツＣ２１と第２コンテンツＣ２２とは、個別に提供される形態としてもよいし、同時に提供される形態としてもよい。つまり、第１コンテンツＣ２１は例えば放送信号に重畳されて提供されるが、第２コンテンツＣ２２は、放送信号に重畳されて提供されてもよいし、或いはサーバ装置からネットワーク経由で提供されてもよい。なお、第２コンテンツＣ２２がネットワーク経由で提供される場合、放送信号には、第１コンテンツＣ２１と、第２コンテンツＣ２２の取得先のアドレスの情報とが重畳される。
【００１６】
図３−１、図３−２は、二画面用コンテンツＣ２の表示例を示す図である。二つの表示画面のうち、主となる一の表示画面Ｄ２を有する装置（例えば、テレビジョン装置等の放送受信装置）には、図３−１に示すように、第１コンテンツＣ２１として提供された横長の映像データ（将棋の対局映像）が表示される。ここで、図３−１は、映像データと付加情報とが第１コンテンツＣ２１として提供された場合の表示例を示している。
【００１７】
また、二つの画面のうち、副となる一の表示画面Ｄ３を有する装置（例えば、携帯端末）には、図３−２に示すように、第２コンテンツＣ２２として提供された第１コンテンツＣ２１の映像データに関する関連情報（縦長の画像データ）が表示される。ここで、第２コンテンツＣ２２は、将棋の対局状況を表しており、対局の進展に応じてその内容が更新される。
【００１８】
なお、第２コンテンツＣ２２は、図２−２で説明した付加情報とは異なり、表示画面Ｄ３の全表示領域或いは表示画面Ｄ３に表示されるアプリケーションウィンドウ内の全表示領域にレイアウトされてもよい。また、同様に、第１コンテンツＣ２１は、表示画面Ｄ３の全画面或いは表示画面Ｄ３に表示されるアプリケーションウィンドウ内の全表示領域にレイアウトされてもよい。即ち、第１コンテンツＣ２１及び第２コンテンツＣ２２は、どちらも単独で個別画面に表示させることが可能なコンテンツである。また、第１コンテンツＣ２１及び第２コンテンツＣ２２は、夫々異なる画面に表示するために配信されるコンテンツであってもよい。
【００１９】
なお、表示画面Ｄ２及び表示画面Ｄ３を有する装置は同一の装置であってもよいし、異なる装置であってもよい。また、表示画面Ｄ２及び表示画面Ｄ３を有する装置が異なる場合には、両装置が連携（連動）して二画面用コンテンツＣ２を取得する形態であってもよい。
【００２０】
また、一画面用コンテンツＣ１及び二画面用コンテンツＣ２の提供方法は特に問わず、デジタル放送信号を用いて提供する形態としてもよいし、インターネット等の通信回線を介して提供する形態としてもよい。また、二画面用コンテンツＣ２の第１コンテンツＣ２１及び第２コンテンツＣ２２は、同一の提供方法で提供する形態としてもよいし、異なる提供方法で提供する形態としてもよい。例えば、第１コンテンツＣ２１を、デジタル放送信号を用いて提供し、第２コンテンツＣ２２を、インターネット等の通信回線を介して提供する形態としてもよい。また、一画面用コンテンツＣ１と第１コンテンツＣ２１とを、同一のコンテンツとしてもよいし、異なるコンテンツとしてもよい。
【００２１】
また、コンテンツ提供装置１０は、デジタル放送信号を送出する放送機能と、インターネットを介してコンテンツを提供するサーバ機能とを有した一台構成の装置であってもよいし、これらの各機能を有した装置群により構成されてもよい。
【００２２】
ところで、二画面用コンテンツＣ２を表示するには、上述したように二台の装置（或いは二つの表示画面）が必要となる。そのため、二画面用コンテンツＣ２を受信可能な装置であっても、一つの表示画面しか有さない場合には、第１コンテンツＣ２１及び第２コンテンツＣ２２のうち、一方のコンテンツしか表示することができなかった。
【００２３】
そこで、本実施形態のタブレット端末２０では、後述するように二画面用コンテンツＣ２を構成する第１コンテンツＣ２１及び第２コンテンツＣ２２を合成することで、一画面に表示することが可能な一の合成コンテンツＣ３を生成し、この合成コンテンツＣ３に表示することで、第２コンテンツＣ２２を実質的に一画面内に表示させる。以下、タブレット端末２０について説明する。
【００２４】
タブレット端末２０は、図１に示すように、表示部２１を備えた携帯型の情報表示装置であって、上述した一画面用コンテンツＣ１、二画面用コンテンツＣ２等の各種情報を表示部２１に表示する。
【００２５】
図４は、タブレット端末２０のハードウェア構成例を示す図である。同図に示すように、タブレット端末２０は、表示部２１と、入力部２２と、チューナ部２４と、通信部２５と、記憶部２６と、制御部２７とを備える。また、図示しないが、タブレット端末２０は、スピーカ等を備えるものとする。
【００２６】
表示部２１は、例えば、ＬＣＤ（Liquid  Crystal  Display）や有機ＥＬ（Electro  Luminescence）等の表示デバイスである。表示部２１は、制御部２７による制御の下、各種の情報を表示する。
【００２７】
入力部２２は、ユーザから各種指示や情報入力を受け付けるための、ポインティングデバイスやボタン等の入力デバイスである。なお、本実施形態では、ポインティングデバイスとして、表示部２１の表示面上の全域又は一部に重畳された光透過性のタッチパネルを用いるものとするが、これに限らないものとする。
【００２８】
加速度センサ２３は、自装置にかかる加速度をセンシングするセンシング機器であって、例えば、３軸方向における自装置の姿勢の変化（傾斜や回転）を、センシング結果として出力する。
【００２９】
チューナ部２４は、図示しないアンテナを介して、コンテンツ提供装置１０等から送出されるデジタル放送信号を受信する。チューナ部２４は、ユーザの選局操作によって特定のチャンネルが指定されると、制御部２７による制御の下、この指定されたチャンネルの放送信号を受信する。
【００３０】
通信部２５は、インターネットなどのネットワーク（図示せず）に接続可能な通信インタフェースである。通信部２５は、制御部２７による制御の下、ネットワークに接続された外部装置（例えば、コンテンツ提供装置１０）との間で各種の情報を授受する。
【００３１】
記憶部２６は、ＲＯＭ（Read  Only  Memory）やＨＤＤ（Hard  Disk  Drive）、ＳＳＤ（Solid  State  Drive）等の不揮発性の記憶媒体を有し、各種のプログラムや設定情報等を記憶する。
【００３２】
制御部２７は、ＣＰＵ（Central  Processing  Unit）、ＲＡＭ（Random  Access  Memory）等を有し（何れも図示せず）、記憶部２６に記憶されたプログラムと協働することで、タブレット端末２０の動作を統括的に制御する。また、制御部２７は、記憶部２６に記憶されたプログラムと協働することで、コンテンツの取得と表示に係る機能部（図５参照）を実現させる。
【００３３】
次に、図５を参照し、タブレット端末２０の機能構成について説明する。ここで、図５は、タブレット端末２０の機能構成例を示す図である。
【００３４】
タブレット端末２０の制御部２７は、記憶部２６に記憶されたプログラムと協働することで、図５に示すように、傾き検出部２０１と、モード切替部２０２と、コンテンツ取得部２０３と、画面合成部２０４と、表示制御部２０５とを、タブレット端末２０の機能部として実現させる。
【００３５】
傾き検出部２０１は、加速度センサ２３のセンシング結果に基づき、自装置の姿勢が所定の状態になったことを検出する。具体的に、傾き検出部２０１は、自装置を把持するユーザに対し、表示部２１の画面長辺が横向き（図６−１参照）又は縦向き（図６−２参照）に変更されたことを検出する。なお、図６−１、図６−２は、タブレット端末２０の姿勢の変化を説明するための図である。
【００３６】
モード切替部２０２は、傾き検出部２０１の検出結果に応じて、コンテンツ取得部２０３の動作モードを、一画面用モード又は二画面用モードに切り替える。具体的に、モード切替部２０２は、傾き検出部２０１において、表示部２１の画面長辺が横向きに変更されたことが検出された場合、一画面用コンテンツＣ１の取得を行う一画面用モードに、コンテンツ取得部２０３の動作モードを切り替える。また、モード切替部２０２は、傾き検出部２０１において、表示部２１の画面長辺が縦向きに変更されたことが検出された場合、二画面用コンテンツＣ２の取得を行う二画面用モードに、コンテンツ取得部２０３の動作モードを切り替える。
【００３７】
コンテンツ取得部２０３は、入力部２２を介したユーザからの指示に従い、コンテンツ提供装置１０から提供されるコンテンツをチューナ部２４や通信部２５を用いて取得する。また、コンテンツ取得部２０３は、モード切替部２０２による動作モードの切り替えに応じて、取得するコンテンツを、一画面用コンテンツＣ１と二画面用コンテンツＣ２とに切り替える。具体的に、コンテンツ取得部２０３は、一画面用モード時において、コンテンツ提供装置１０から一画面用コンテンツＣ１を取得する。また、コンテンツ取得部２０３は、二画面用モード時において、コンテンツ提供装置１０から二画面用コンテンツＣ２を取得する。
【００３８】
画面合成部２０４は、コンテンツ取得部２０３で取得された二画面用コンテンツＣ２に含まれる第１コンテンツＣ２１と第２コンテンツＣ２２とを合成することで、第１コンテンツＣ２１及び第２コンテンツＣ２２を一の画面内に配置した合成コンテンツＣ３を生成する。なお、合成コンテンツにおいては、第１コンテンツＣ２１と第２コンテンツＣ２２とが重ならないように、夫々が表示画面中の別領域に配置されてもよい。つまりこの場合、画面合成部２０４は、デジタル放送番組の映像コンテンツ（動画像）と、当該番組に関連したコンテンツとを別々の位置に配置した合成コンテンツを生成する。以下、図７−１、図７−２、図７−３を参照して、画面合成部２０４が生成する合成コンテンツの例について説明する。
【００３９】
画面合成部２０４は、例えば、図７−１に示すように、第１コンテンツＣ２１を画面上部に配置し、その下部に第２コンテンツＣ２２を配置した合成コンテンツＣ３を生成する。ここで、画面内における、第１コンテンツＣ２１と第２コンテンツＣ２２との画面比率（占有率）は特に問わないものとする。例えば、一方のコンテンツ（例えば、第１コンテンツＣ２１）を画面横方向に最大化した状態で配置し、残りの領域に他方のコンテンツを縦横比を維持した状態で配置してもよい。
【００４０】
なお、第１コンテンツＣ２１及び第２コンテンツＣ２２の画面比率は固定値に限らないものとする。具体的には、後述する表示制御部２０５によって合成コンテンツＣ３が表示部２１に表示された際に、入力部２２を介してユーザから画面比率を変更する操作を受け付けた場合には、画面合成部２０４は、この操作内容に応じた画面比率で合成コンテンツＣ３を生成する。
【００４１】
例えば、図７−１の画面において、第２コンテンツＣ２２を拡大（或いは第１コンテンツＣ２１をピンチ操作によって縮小）するピンチ操作が行われると、画面合成部２０４は、この操作内容（第２コンテンツＣ２２の拡大量或いは第１コンテンツＣ２１の縮小量）に応じた合成を行うことで、図７−２に示すような第２コンテンツＣ２２の画面比率を拡大した合成コンテンツＣ３を生成する。
【００４２】
なお、画面比率の変更方法は上記例に限らず、例えば、第１コンテンツＣ２１と第２コンテンツＣ２２との境界部分Ｂ１を上下にスライドしたり、第１コンテンツＣ２１又は第２コンテンツＣ２２の四隅を拡大／縮小する方向にドラッグしたりする等、他の変更方法を採用してもよい。
【００４３】
また、合成コンテンツＣ３（第１コンテンツＣ２１及び第２コンテンツＣ２２）のレイアウトは、図７の例に限らないものとする。例えば、図７−１、図７−２では、第１コンテンツＣ２１及び第２コンテンツＣ２２の独立性を保持したまま合成する形態としたが、図７−３に示すように、第２コンテンツＣ２２上に第１コンテンツＣ２１を合成するＰｉｃｔｕｒｅ  ｉｎ  Ｐｉｃｔｕｒｅ等の形態で合成コンテンツＣ３を生成してもよい。
【００４４】
図５に戻り、表示制御部２０５は、表示部２１の表示制御を行う機能部であり、コンテンツ取得部２０３により取得されたコンテンツ等の情報を表示部２１に表示させる。具体的に、表示制御部２０５は、コンテンツ取得部２０３が取得した一画面用コンテンツＣ１を表示部２１に表示させる。また、表示制御部２０５は、画面合成部２０４で生成された合成コンテンツＣ３を表示部２１に表示させる。
【００４５】
上述した各機能部の制御により、図８−１に示すように、タブレット端末２０（表示部２１）の画面長辺が横向きの状態に変更された際に、横長の一画面用コンテンツＣ１が表示され、図８−２に示すように、タブレット端末２０（表示部２１）の画面長辺が縦向きの状態に変更された際に、合成コンテンツＣ３（二画面用コンテンツＣ２）が表示される。
【００４６】
このように、本実施形態のタブレット端末２０では、コンテンツ取得部２０３が取得する一画面用コンテンツＣ１の縦横比と、表示部２１の表示画面の縦横比とに基づき、タブレット端末２０（表示部２１）の画面長辺が横向きの状態に変更された際に、横長の一画面用コンテンツＣ１を表示するよう制御する。これにより、一画面用コンテンツＣ１の表示サイズを最大化した状態で表示することができるため、一画面用コンテンツＣ１の視認性を向上させることができる。
【００４７】
なお、本実施形態では、一画面用コンテンツＣ１の縦横比を動作モード決定の基準としたが、これに限らず、二画面用コンテンツＣ２、つまり第１コンテンツＣ２１及び第２コンテンツＣ２２の一方又は両方の縦横比を、動作モード決定の基準としてもよい。
【００４８】
次に、図９を参照して、タブレット端末２０の動作について説明する。ここで、図９は、タブレット端末２０で実行されるコンテンツ表示処理の手順の一例を示すフローチャートである。なお、本処理の前提として、コンテンツ取得部２０３により一画面用コンテンツＣ１又は二画面用コンテンツＣ２の取得が行われているものとする。
【００４９】
まず、傾き検出部２０１は、加速度センサ２３のセンシング結果に基づき、自装置の姿勢に変更があったか否かを判定する（ステップＳ１１）。ここで、自装置の画面長辺が横向きに変更されたと検出された場合（ステップＳ１１；横向き）、モード切替部２０２は、一画面用モードに切り替えることで、コンテンツ取得部２０３に一画面用コンテンツＣ１を取得させる（ステップＳ１２）。続いて、表示制御部２０５は、ステップＳ１２で取得された一画面用コンテンツＣ１を表示部２１に表示させ（ステップＳ１３）、ステップＳ１９に移行する。なおここでは、一画面用モードにおいて一画面用コンテンツＣ１、即ち例えば放送映像を表示するとして説明したが、一画面用モードにおいては、放送映像と連携する情報、例えば二画面用コンテンツＣ２の第２コンテンツＣ２２を表示してもよい。
【００５０】
一方、ステップＳ１１において、自装置の画面長辺が縦向きに変更されたと検出された場合（ステップＳ１１；縦向き）、モード切替部２０２は、二画面用モードに切り替えることで、コンテンツ取得部２０３に二画面用コンテンツＣ２を取得させる（ステップＳ１４）。画面合成部２０４は、ステップＳ１４で取得された二画面用コンテンツＣ２（第１コンテンツＣ２１、第２コンテンツＣ２２）を合成することで、一画面内に表示可能な合成コンテンツＣ３を生成する（ステップＳ１５）。続いて、表示制御部２０５は、ステップＳ１５で生成された合成コンテンツＣ３を表示部２１に表示させる（ステップＳ１６）。
【００５１】
次いで、画面合成部２０４は、入力部２２を介して第１コンテンツＣ２１及び第２コンテンツＣ２２の画面比率を変更する操作を受け付けたか否かを判定する（ステップＳ１７）。ここで、画面比率を変更する操作を受け付けた場合（ステップＳ１７；Ｙｅｓ）、画面合成部２０４は、その操作内容に応じた画面比率に変更し（ステップＳ１８）、ステップＳ１５に再び戻ることで、変更後の画面比率を反映した合成コンテンツＣ３を生成する。また、画面比率の変更操作がない場合には（ステップＳ１７；Ｎｏ）、ステップＳ１９に移行する。
【００５２】
続くステップＳ１９では、コンテンツ取得部２０３が、入力部２２を介してコンテンツの取得（視聴）を終了する終了操作が入力されたか否かを判定する。ここで、終了操作が未入力の場合（ステップＳ１９；Ｎｏ）、ステップＳ１１に再び戻ることで、コンテンツの取得（視聴）を継続する。また、終了操作の入力を受け付けた場合（ステップＳ１９；Ｙｅｓ）、コンテンツ取得部２０３は、コンテンツの取得を終了することで本処理を終了する。
【００５３】
以上のように、本実施形態によれば、二画面用コンテンツＣ２を構成する第１コンテンツＣ２１及び第２コンテンツＣ２２から、一画面に表示することが可能な一の合成コンテンツＣ３を生成し、この合成コンテンツＣ３の表示を行う。これにより、実質的に第２コンテンツＣ２２を一画面内に表示させることができるため、二画面用コンテンツＣ２の表示に係る利便性を向上させることができる。
【００５４】
また、自装置の姿勢に応じて、一画面用コンテンツＣ１と二画面用コンテンツＣ２との取得を切り替えることで、ユーザが表示部２１を観察する際の表示画面の方向に適したコンテンツを表示することができるため、一画面用コンテンツＣ１及び二画面用コンテンツＣ２の視認性を考慮した表示を行うことができる。
【００５５】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更を行うことができる。また、上記実施形態やその変形は、発明の範囲や要旨に含まれるとともに、特許請求の範囲に記載された発明とその均等の範囲に含まれる。
【００５６】
例えば、上記実施形態では、タブレット端末２０の画面長辺が横向きに変更された場合に一画面用モードとし、縦向きに変更された場合に二画面用モードとする形態としたが、これに限らず、一画面用コンテンツＣ１が縦長の状態で作成されている場合には、上記のモード切り替えを反対としてもよい。また、この場合、モード切替部２０２が、チューナ部２４や通信部２５で受信された一画面用コンテンツＣ１（或いは二画面用コンテンツＣ２）の縦横比率を判別し、この判別結果に応じて、切り替え先の動作モードを自動で設定する形態としてもよい。
【００５７】
また、上記実施形態では、自装置の姿勢変更に応じて、取得するコンテンツを一画面用コンテンツＣ１又は二画面用コンテンツＣ２に切り替える形態としたが、自装置の姿勢によらず、ユーザからの指示に応じて何れか一方のコンテンツを取得する形態としてもよい。この形態を採用する場合、モード切替部２０２は、ユーザから取得（視聴）が指示されたコンテンツ用の動作モードに切り替えることで、一画面用コンテンツＣ１又は二画面用コンテンツＣ２を常時取得する形態を実現することができる。
【００５８】
また、上記実施形態では、二つの画面に個別に表示するためのコンテンツ群で構成された二画面用コンテンツＣ２の表示例について説明したが、これに限らず、二画面用コンテンツＣ２の代わりに、二以上の複数の画面に個別に表示するためのコンテンツ群で構成された複数画面用コンテンツを用いてもよい。この場合においても、上記と同様の制御により、各画面用のコンテンツ群を合成することで一の合成コンテンツＣ３を生成し、当該合成コンテンツＣ３を表示部２１に表示させるものとする。
【００５９】
また、上記では、本発明の実施形態に係る情報表示装置をタブレット端末２０に適用したが、これに限らず、携帯電話やスマートフォン等の他の情報表示装置に適用することができる。
【００６０】
また、上記実施形態では、タブレット端末２０で実行されるプログラムを、当該タブレット端末２０が備える記憶部２６内に保持する構成としたが、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００６１】
また、上記実施形態のタブレット端末２０で実行されるプログラムを、インターネット等のネットワークに接続されたコンピュータ上に格納し、ネットワーク経由でダウンロードさせることにより提供するように構成してもよい。また、上記実施形態のタブレット端末２０で実行されるプログラムを、インターネット等のネットワーク経由で提供又は配布するように構成してもよい。
【符号の説明】
【００６２】
１…情報表示システム、１０…コンテンツ提供装置、２０…タブレット端末、２１…表示部、２２…入力部、２３…加速度センサ、２４…チューナ部、２５…通信部、２６…記憶部、２７…制御部、２０１…傾き検出部、２０２…モード切替部、２０３…コンテンツ取得部、２０４…画面合成部、２０５…表示制御部、Ｃ１…一画面用コンテンツ、Ｃ２…二画面用コンテンツ、Ｃ２１…第１コンテンツ、Ｃ２２…第２コンテンツ、Ｃ３…合成コンテンツ
【図１】
2014072702.tif 000003
【図２−１】
2014072702.tif 000004
【図２−２】
2014072702.tif 000005
【図３−１】
2014072702.tif 000006
【図３−２】
2014072702.tif 000007
【図４】
2014072702.tif 000008
【図５】
2014072702.tif 000009
【図６−１】
2014072702.tif 000010
【図６−２】
2014072702.tif 000011
【図７−１】
2014072702.tif 000012
【図７−２】
2014072702.tif 000013
【図７−３】
2014072702.tif 000014
【図８−１】
2014072702.tif 000015
【図８−２】
2014072702.tif 000016
【図９】
2014072702.tif 000017